(57)【要約】【課題】本願発明は、あらゆる屋外の空間部で適切に防球用等のネットを吊り張りでき、支柱の高さ方向の距離に対応できる屋外の空間部用の支柱、及び屋外の空間部用の支柱の立設方法を提供することを課題とする。【解決手段】屋外の空間部の外周に沿って防球用等のネットを吊り張りする支柱本体と、該支柱本体を連結すべく地中部分に埋設された下部支柱体とから構成された屋外の空間部用の支柱において、前記支柱本体は、その高さ方向の距離が高く、及び防球用等のネットの移動式を取り付ける際は、少なくともウインチ台、滑車取付台等の連結手段が一体的に又は間接的に設けられた鋼管ポール又は鉄製ポールで形成され、且つ前記下部支柱本体には、地盤の軟質さに応じて埋設面積を拡大調整すべく埋設面積調整手段が設けられていることである。【選択図】図１
2018013018.tif 000002
【特許請求の範囲】
【請求項１】
屋外の空間部の外周に沿って防球用等のネットを吊り張りする支柱本体と、該支柱本体を連結すべく地中部分に埋設された下部支柱体とから構成された屋外の空間部用の支柱において、前記支柱本体は、その高さ方向の距離が高く、及び防球用等のネットの移動式を取り付ける際は、少なくともウインチ台、滑車取付体等の連結手段が一体的に又は間接的に設けられた鋼管ポール又は鉄製ポールで形成され、且つ前記下部支柱体には、地盤の軟質さに応じて埋設面積を拡大調整すべく埋設面積調整手段が設けられていることを特徴とする屋外の空間部用の支柱。
【請求項２】
屋外の空間部の外周に沿って所望の間隔で地盤に複数個の下部支柱体を埋設し、該下部支柱体にそれぞれ防球用等のネットを吊り張りする複数本の支柱本体を取り付けることで支柱を立設する屋外の空間部用の支柱の立設方法であって、前記下部支柱体を地盤の柔質から硬質への地質に応じてコンクリート杭、鋼管杭又は鉄製杭より順に選択するとともに、前記下部支柱体に設けられた埋設面積調整手段で埋設面積を拡大調整して地中に埋設固定した後、地上部分の高さ方向の距離が高く、移動式の防球用等のネットを選択する際は、ウインチ台等の連結手段の形成された鋼管ポール又は鉄製ポールを選択し、固定式の防球用等のネットを選択する際は、鋼管ポール、鉄製ポール、又はコンクリートポールより自在に選択し前記下部支柱体の上端側に嵌合方式で連結して支柱を立設することを特徴とする屋外の空間部用の支柱の立設方法。
【発明の詳細な説明】
【発明の詳細な説明】
【技術分野】
【０００１】本発明は、特に球技等で使用する屋外の空間部に沿って防球用等のネットを吊り張りするのに使用する屋外空間部用の支柱、及び該屋外空間部用の支柱の立設方法に関する。
【背景技術】
【０００２】従来、防球用のネットを屋外の空間部に沿って吊り張りする場合は、該空間部の外周に沿って所望の間隔で複数本の支柱を立設し、該支柱の上下方向にネットを取り付けることで、前記支柱間に沿ってネットを吊り張し防球用として使用する事ができる。【０００３】上記防球用ネットを吊り張りするのに使用する支柱は、通常は円筒状で耐候性のある１本の鋼管、又はコンクリートポールで形成され、且つ地上部分の上部支柱と地中に埋設する地中部分の下部支柱とから構成されている。前記地中部分は、地中に埋設されたコンクリート型枠に支柱を取り付ける孔の形成された抜型を取り付けて、その後前記孔に支柱の下端側を挿入し、地中部分まで埋設することでそれぞれの支柱を空間部に立設する。【０００４】上記支柱は空間部の広さ（例えば、球技で使用する場合は、狭い空間部では基準より支柱と高く形成し、広い空間部では基準の高さで形成）、使用目的（球の飛ぶ方向を高く形成）に応じてそれぞれの長さ調整して立設する。
【発明が解決しようとする課題】
【０００５】しかしながら、従来の支柱は、同一の種類で長さの相違する支柱を複数本用意し空間部に沿って立設するために、地中部分状況（固い岩盤、軟質部分等）により支柱の立設部分を変更して対応するしかなく、適切な支柱間の立設という点で大きな問題点があった。
【０００６】また、従来のコンクリートポールの場合は、その高さ調整において、高い支柱としては適切でなく、空間部の広さに応じて選択できない欠点があった。
【０００７】さらに、屋外の空間部では取り付けられた防球用のネットが風の影響を受けやすく、支柱の立設位置により支柱の強度を調整する必要があるが、従来の支柱では対応できない欠点があった。
【０００８】また、防球用のネットは、固定式と移動式とがあり、固定式の場合は、支柱本体に連結具と取り付けるだけであり、支柱の種類は問わないが、移動式の場合は、ウインチの固定台、該ウインチで移動するロープを上下方向で滑車間に吊張りする必要があり、滑車取り付け台、及び移動するロープに並行方向に設けられたガイド用のロープの連結具等を取り付ける必要があり、鋼管ポール、鉄製ポールの方がコンクリートポールより形成し易い問題点があった。
【０００９】そこで、本発明は、上記問題点を解決すべくあらゆる屋外の空間部で適切に防球用のネットを吊張りでき、支柱の高さ調整に対応できる屋外の空間部用の支柱、及び該屋外の空間部用の支柱の立設方法を提供することを課題とする。
【課題を解決するための手段】
【００１０】上記課題を解決するための屋外の空間部用の支柱としての手段は、請求項１に記載のように、屋外の空間部の外周に沿って防球用等のネットを吊り張りする支柱本体と、該支柱本体を立設すべく地中部分に埋設された下部支柱体とから構成された屋外の空間部用の支柱において、前記支柱本体は、その高さ方向の距離が高く、及び防球用等のネットの移動式を取り付ける際、少なくともウインチ台、滑車取付体等の連結手段が一体的に又は間接的に設けられた鋼管ポール又は鉄製ポールで形成され、且つ前記下部支柱体には、地盤の柔質さに応じて理設面積を拡大調整すべく鋼管杭、鉄製杭、コンクリート杭より選択すべくコンクリート杭等には、埋設面積調整手段が設けられていることを特徴とする。
【００１１】次に上記課題を解決するための屋外の空間部用の支柱の立設方法は、請求項２に記載のように、屋外の空間部の外周に沿って所望の間隔で地盤に下部支柱体を埋設し、該下部支柱体にそれぞれ防球用等のネットを吊張りする複数本の支柱本体を取り付けることで支柱を立設する屋外の空間用の支柱の立設方法であって、前記下部支柱体を地盤の柔質から硬質への地質に応じてコンクリート杭、鋼管杭又は鉄製杭より順に選択するとともに、前記下部支柱体に設けられた埋設面積調整手段で埋設面積を拡大調整して地中に埋設固定した後、地上部分の高さ方向の距離が高く、移動式の防球用等のネットを選択する際は、ウインチ台等の連結手段の形成された鋼管ポール又は鉄製ポールを選択し、固定式の防球用等のネットを選択する際は、鋼管ポール、製ポール、又はコンクリートポールより自在に選択し前記下部支柱体の上端側に嵌合方式で連結して支柱を立設することを特徴とする。
【発明の作用効果】
【００１２】次に、本発明の屋外の空間部用の支柱、及び該屋外の空間部用の支柱の立設方法について説明する。
【００１３】先ず、請求項１に記載の屋外の空間部用の支柱は、屋外の空間部の外周に沿って穿孔して下部支柱本体を埋設し、該下部支柱体の上端側に防球用等のネットを取り付ける支柱本体を連結することで立設する。
【００１４】この際、前記支柱本体は、屋外の空間部の外周の立設位置に応じてそれぞれ高さが相違するとともに、吊り張りする防球用等のネットの風への影響を受け易いために特に高い支柱（一般的に約１０ｍ以上）間に取り付ける防球用等のネットは昇降移動する移動式を取り付け、高さ方向の低い支柱間に取り付ける防球用等のネットは固定式を取り付ける。
【００１５】前記固定式の防球用等のネットの場合は、防球用等のネットの端部周辺に沿って設けられた補強用ロープを支柱本体に連結する固定具のみで鋼管ポール、鉄製ポール、コンクリートポールでも形成が容易であるが、コスト軽減を考えて通常コンクリートポールを選択する。
【００１６】また、前記移動式の防球用等のネットの場合は、支柱本体にウインチ台等の連結手段を一体的に又は間接的に形成する必要があり、鋼管ポール、又は鉄製ポールがコンクリートポールに比し格段に連結部の一体形成（ウインチ台等を含めて一体的に形成、又はウインチ台を取り付ける連結板のみ一体的に形成…ウインチ台は前記連結板に間接的に形成）が容易であり、また同一の材質で形成できるために強度を確保できる。
【００１７】このため支柱本体の高さ方向の距離Ａが必要で、移動式の防球用等のネットを取り付ける場合は、高さ方向で強度を維持でき、連結手段の形成が容易な鋼管ポール、鉄製ポールを優先して選択する。
【００１８】次に、前記下部支柱体は、同一の屋外の空間部においても地盤の状態が相違するために、軟質又は硬質等状況に応じて適切に固定しなければならない。
【００１９】即ち、軟質の地盤の場合は、下部支柱体の埋設面積調整手段を用いて埋設面積を拡大調整し設置面積の拡大を図ることで、下部支柱体の安定性を維持する必要があり、コンクリート杭の方が鋼管杭又は鉄製杭に比し埋設面積の拡大が容易（プレートを用いる場合は型枠を用いてコンクリートを流し込むことで現場毎のプレートの拡大、下部支柱体の下端側の固定等の一体的な形成による調整が可能）である。
【００２０】また、硬質の地盤の場合は、基盤部分に穿孔された孔に鋼管杭又は鉄製杭を挿入して埋設するだけで強固に取り付けでき、コンクリート杭を含め、鋼管杭又は鉄製杭より自在に選択できる。
【００２１】次に前記選択した支柱本体を同様に選択した下部支柱体の上端側に連結することで支柱を立設する。
【００２２】このように、本願発明の屋外の空間部用の支柱は、その高さに応じて、及び防球用等のネットの取り付け状態に応じて適切な支柱本体を選択でき、また地盤の状況に応じて下部支柱体を選択できるので、あらゆる屋外の空間部に対応して最適な組み合わせの支柱を選択できる等、従来の支柱にはない汎用性の向上をはかることができる。
【００２３】しかも、あらゆる組み合わせが可能であり、安全対策の面でも従来に比し格段の向上をはかることができる。
【００２４】次に、請求項２に記載の屋外の空間部用の支柱の立設方法は、先ず屋外の空間部の外周に沿って所望の間隔で地盤を穿孔し、該孔に下部支柱体を埋設する。
【００２５】この際、地盤が硬い場合は、通常の穿孔で鋼管杭、鉄製杭又はコンクリート杭より自在に選択でき、地盤が軟質の場合は、埋設面積を拡大して安定させる必要があり、埋設面積の拡大調整し易いコンクリート杭を選択する。
【００２６】即ち、型枠を用いてコンクリート杭の下端側、側面側にコンクリートを流し込み、コンクリート杭と一体的に形成することで、埋設面積を自在に拡大調整でき、安定した状態で埋設固定できる。
【００２７】次に、設置する高さ方向の距離Ａに応じて高い順に支柱本体を強度のある鋼管ポール、鉄製ポール、コンクリートポールの順に選択するとともに、吊り張りする防球用等のネットの取り付け状態、即ち、高さ方向の距離Ａのある場合（Ａ＞１０）は、風の影響を受け易いので昇降移動する移動式を取り付け、低い場合は、固定式の防球用等のネットを取り付ける。
【００２８】このため、防球用等のネットを移動するウインチ等を取り付けが容易（ポールと同質の材質でウインチ台等を一体的に形成可能で該ウインチ台等を用いてウインチ等の取り付けが容易に行える）な鋼管ポール、又は鉄製ポールを選択する。
【００２９】また、固定式の防球用等のネットを取り付ける場合は、支柱本体の高さ方向の距離Ａが低い場合が多く、風による影響が少なく、コンクリートポール、鋼管ポール又は鉄製ポールより自在に選択する。
【００３０】このように、選択した下部支柱体の上部側に支柱本体を嵌合方式で連結し、支柱を空間部の外周に沿って立設し、防球用等のネットを吊り張りすることで、従来に比し作業効率の向上をはかるとともに、コストの削減を可能とする。
【００３１】また、地盤の状態、支柱本体の高さ方向の距離、風の影響を含めて、あらゆる分野の屋外の空間部に適切な支柱を設置することができ、且つスムーズな支柱の立設を可能とする。
【００３２】さらに、下部支柱体と支柱本体とを鋼管ポール等より自在に選択でき、支柱の強度を含めて最適な支柱を選択できる。
【発明を実施するための最良の形態】
【００３３】本願発明の屋外の空間部用の支柱、及び該屋外の空間部用の支柱の立設方法の一実施の形態について説明する。【００３４】図１は、本願発明の屋外の空間部用の支柱を示す概略説明側面図であり、図２は連結手段が一体的に形成された支柱本体を示す概略説明側面図であり、図３は下部支柱本体を示す概略説明側面図であり、図４は下部支柱本体を示す概略説明平面図であり、図５は空間部用の支柱の使用状態を示す概略説明側面図であり、図６は本願発明の屋外の空間部用の支柱の立設方法を示すフローチャートである。【００３５】本願発明の屋外の空間部用の支柱１は、地上部分で防球用のネットを取り付けるための支柱本体２と、該支柱本体２を連結し地中に埋設する下部支柱体３とから構成されている。【００３６】前記支柱本体２は、吊り張りする防球用のネット１０の面積により風の影響が左右されるために、高さ方向に距離Ａ（通常約１０ｍを基準とするが、風の影響を受け易い地域等で高さ方向の基準は相違する）がある場合は、強度のある鋼管ポール、又は鉄製ポールを選択するとともに、防球用のネット１０による風の影響を排除するために防球用のネット１０を昇降する移動式とし、連結手段としてのウインチ台２Ａを支柱本体２の下端側に一体的に形成するとともに、支柱本体２の上端側にウインチ１１で移動する移動用のロープ１２を支柱本体２の上下方向で移動するように滑車取付体２Ｂを一体的に形成する。【００３７】前記滑車取付体２Ｂには、防球用のネット１０を吊り張り移動を補助するガイド用のロープ１５を取り付ける連結環２Ｃが形成されている。【００３８】前記ウインチ台２Ａ、滑車取付体２Ｂより構成された連結手段は、支柱本体２に一体的形成に限定されるものでなく、連結部のみ一体的に形成し、該連結部に別体のウインチ台２Ａ等を後からボルトとナット等を用いて取り付ける間接的な連結も可能である。【００３９】このように、コンクリートポールに比し、鋼管ポール、又は鉄製ポールはウインチ台２Ａ、及び滑車取付体２Ｂを直接的又は連結部を介して間接的に同一の材質で形成でき、支柱本体２へのウインチ２０、移動用のロープ１２及びガイド用のロープ１５を強固に取り付けできる。【００４０】しかも、メンテナンス作業においても、支柱本体２よりのウインチ２０等の取り外し作業が容易に、且つ安全に行える。【００４１】また、前記支柱本体２の鋼管ポール、又は鉄製ポールは内部に空間部を形成し、その重量を軽減でき、さらに、内部に＋、−状の断面形状の補強片を取り付けることでさらなる強度の補強を可能とする。【００４２】これにより、鋼管ポール、又は鉄製ポールは、コンクリートポールに比し高さ方向の距離を高く形成でき、連結手段の形成も容易に行える。【００４３】次に前記下部支柱体３は全体が円筒状で、地中に埋設され、上端側に前記支柱本体２の下端側を嵌入する連結部が形成され、下端側は拡径に形成され、さらに埋設面積調整手段としてのプレート３Ａを埋設方向に沿って複数枚形成している。【００４４】前記プレート３Ａは、埋設方向に沿ってそれぞれ所望の間隔で複数枚が取り付けられている。そして、このプレート３Ａの面積を拡大調整することで、埋設面積の調整を自在に調整できる。【００４５】上記プレート３Ａの拡大調整は、下部支柱体３の埋設時に型枠を用いてコンクリートを流し込むことで、既に取り付けられているプレート３Ａを基盤として拡大調整する。このため、下部支柱本体３はコンクリートポールを選択する場合が一番形成し易い。【００４６】また上記埋設面積の拡大はプレート３Ａに限定されるものでなく、例えば、下部支柱体３の形状を断面視逆Ｔ字状等の下端側の形状を拡大することで、埋設面積の拡大することも可能である。【００４７】本願発明の屋外の空間部用の支柱１は上記のように構成され、次に屋外の空間部の外周に沿って防球用のネットを取り付けるために、複数本を立設する場合について説明する。【００４８】先ず、空間部の外周に沿って所望の間隔で複数個の孔を穿孔する。この際、地盤の軟質又は硬質に応じて、埋設する材質を選択する。【００４９】即ち、地盤状況が硬質の場合は、プレート３Ａの形成されたコンクリート杭、鋼管杭又は鉄製杭より自在に選択し、先端側を地上部分に突出した状態で下部支柱体３を埋設する。【００５０】しかしながら、地盤状況が軟質な場合は、埋設面積を調整するために、穿孔した孔に下部支柱体３を挿入した後、該下部支柱体３のプレート３Ａに沿って型枠で囲み該型枠にコンクリートを流し込んでプレート３Ａ部分を拡大調整する。【００５１】これにより、下部支柱体３の埋設面積が拡大され、安定した状態で埋設することができる。【００５２】この際、プレート３Ａはコンクリート杭の側面側に十字状、三角状等に取り付けるが、面積を調整するために、その取り付け状況は自在に調整できる。【００５３】その後、クレーンで吊り上げた支柱本体２の下端側と先端側を連結する。該連結は、下部支柱体３の先端側を凹形状に形成し、支柱本体２の下端側を凸形状に形成することで、嵌合方式で連結する。【００５４】前記立設した支柱１のうち、高さ方向の距離Ａが基準となる１０ｍより大で、風の影響を受け易い防球用のネット１０部分は、支柱本体２に沿って昇降移動する移動式となるように、ウインチ台２Ａ、滑車取付体２Ｂの形成された鋼管ポール又は鉄製ポールを選択しているために、前記ウインチ台２Ａにウインチ２０を固定し、前記滑車取付体２Ｂに滑車２１を取り付けウインチ２０と滑車２１とに移動用のロープ１２を掛け渡すとともに、前記滑車取付体２Ｂと地面との間にガイド用のロープ１５を取り付ける。【００５５】前記ガイド用のロープ１５は、リング環（図示せず）を介して防球用のネット１０の上下方向に沿って挿通することで、移動自在とする。【００５６】次に、前記防球用のネット１０上端側を前記移動用のロープ１２に連結固定する。これにより、ウインチ２０を駆動し移動用のロープ１２を滑車２１に沿ってエンドレス状に移動すると、前記防球用のネット１０はガイド用のロープ１５に沿って支柱本体２の上下方向で昇降移動する。【００５７】また、風の影響を受けにくい低い支柱１はコンクリートポールで形成し、防球用のネット１０を固定式とすべく杭等の簡易な連結具（図示せず）を介して支柱本体２に取り付ける。【００５８】尚、固定式の防球用のネット１０の取り付けは、コンクリートポールに限定されるものでなく、鋼管ポール又は鉄製ポールを選択することも可能である。通常、コストの軽減を図るために、鋼管ポール等より安価なコンクリートポールを選択する。【００５９】このように、下部支柱体３と支柱本体２とを目的（高さ方向の距離、昇降式、又は固定式等）に応じて自在に選択し、最適な位置、最適な方法（組み合わせ）で支柱１を立設することができる。【００６０】しかも、コストの面で全ての支柱１をコンクリートポールより高価な鋼管ポールのみで形成する場合に比し、格段に低減できる。【００６１】さらに、各下部支柱体３と支柱本体２とを最適な組み合わせで形成しているために、安全性の面においても従来の支柱１に比し、格段に向上することができる。
【図面の簡単な説明】
【００６２】
【図１】本願発明の屋外の空間部用の支柱を示す概略説明側面図
【図２】連結手段が一体的に設けられた支柱本体を示す概略説明側面図
【図３】下部支柱体を示す概略説明側面図
【図４】下部支柱体を示す概略説明平面図
【図５】本願発明の屋外の空間部用の支柱の使用状態を示す概略説明側面図
【図６】本願発明の屋外の空間部用の支柱の立設方法を示すフローチャート
【符号の説明】
【００５７】１−支柱、２−支柱本体、３−下部支柱体、１０−防球用のネット
【図１】
2018013018.tif 000003
【図２】
2018013018.tif 000004
【図３】
2018013018.tif 000005
【図４】
2018013018.tif 000006
【図５】
2018013018.tif 000007
【図６】
2018013018.tif 000008